【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
少なくとも一つのローカルなエリアでアドホックネットワークを構築し、宛先装置と通信するローカル無線通信インタフェースを有する無線通信装置であって、
前記アドホックネットワークでの前記宛先装置までの通信経路を探索する経路探索部と、
広域無線通信網を介して通信を行う広域無線通信インタフェースと、
前記広域無線通信インタフェースでの受信環境の変化を監視する広域無線通信受信環境監視部と、を備え、
前記広域無線通信受信環境監視部は、前記広域無線通信インタフェースでの受信環境の変化を検出したとき、前記経路探索部を起動して前記宛先装置までの通信経路を探索し、最新の通信経路に更新することを特徴とする無線通信装置。
【請求項２】
前記宛先装置までの通信経路を探索するための経路要求メッセージを送信する電力を決定する経路探索送信電力決定部と、
前記経路探索送信電力決定部が決定した電力で前記宛先装置までの通信経路が見つからないとき、前記経路要求メッセージを送信するための電力を段階的に変更する経路探索送信電力変更部と、を更に備え、
前記経路探索送信電力決定部は、即時に通信データの送信が要求されているときには通常送信電力に決定し、即時に通信データの送信が要求されていないときには前記通常送信電力より低い送信電力に決定することを特徴とする請求項１に記載の無線通信装置。
【請求項３】
前記受信環境の変化とは、前記広域無線通信インタフェースを介して接続される基地局の変更であり、
前記広域無線通信受信環境監視部は、前記基地局が変更されたとき、前記経路探索部を起動して前記宛先装置までの最新の通信経路に更新することを特徴とする請求項１に記載の無線通信装置。
【請求項４】
前記広域無線通信受信環境監視部は、前記経路探索部を起動するためのトリガ要件を設定する広域無線通信受信環境取得情報設定部と、
前記広域無線通信インタフェースから前記受信環境を監視するための情報を収集する広域無線通信受信環境情報収集部と、を有し、
前記受信環境が前記トリガ要件を満たすとき、前記広域無線通信受信環境監視部は、前記経路探索部を起動して前記宛先装置までの最新の通信経路に更新することを特徴とする請求項１に記載の無線通信装置。
【請求項５】
前記受信環境を監視するための情報は、前記広域無線通信網の基地局からの無線信号の受信電界強度を表し、
前記広域無線通信受信環境監視部は、前記受信電界強度に応じて前記経路探索部を起動して前記宛先装置までの最新の通信経路に更新することを特徴とする請求項４に記載の無線通信装置。
【請求項６】
前記受信環境を監視するための情報は、前記広域無線通信網の基地局が行う送信電力制御の情報であり、
前記広域無線通信受信環境監視部は、前記送信電力制御の情報に応じて前記経路探索部を起動して前記宛先装置までの最新の通信経路に更新することを特徴とする請求項４に記載の無線通信装置。
【請求項７】
前記広域無線通信受信環境取得情報設定部は、前記トリガ要件を利用者が設定可能に構成されていることを特徴とする請求項４に記載の無線通信装置。
【請求項８】
少なくとも一つのローカルなエリア内でアドホックネットワークを構築し、宛先装置と通信するローカル無線通信インタフェースを有する無線通信装置であって、
前記アドホックネットワークでの前記宛先装置までの通信経路を探索する経路探索部と、
前記ローカル無線通信インタフェースとは別に、近距離での無線通信を行う近距離無線通信インタフェースと、
前記近距離無線通信インタフェースでの受信環境の変化を監視する近距離無線通信受信環境監視部と、を備え、
前記近距離無線通信受信環境監視部は、前記近距離無線通信インタフェースでの受信環境の変化を検出したとき、前記経路探索部を起動して前記宛先装置までの最新の通信経路に更新することを特徴とする無線通信装置。
【請求項９】
前記宛先装置までの通信経路を探索するための経路要求メッセージを送信する電力を決定する経路探索送信電力決定部と、
前記経路探索送信電力決定部が決定した電力で前記宛先装置までの通信経路が見つからないとき、経路要求メッセージを送信するための電力を段階的に変更する経路探索送信電力変更部と、を更に備え、
前記経路探索送信電力決定部は、即時に通信データの送信が要求されているときには通常送信電力に決定し、即時に通信データの送信が要求されていないときには前記通常送信電力より低い送信電力に決定することを特徴とする請求項８に記載の無線通信装置。
【請求項１０】
少なくとも一つのローカルなエリア内でアドホックネットワークを構築し、宛先装置と通信するローカル無線通信インタフェースと、前記アドホックネットワークでの前記宛先装置までの通信経路を探索する経路探索部と、広域無線通信網により通信を行う広域無線通信インタフェースとを有する無線通信装置のアドホック経路取得方法であって、
前記広域無線通信網での受信環境を監視するステップと、
前記広域無線通信網での受信環境の変化を検出したとき、前記経路探索部を起動して前記アドホックネットワークでの前記宛先装置までの最新の通信経路に更新するステップと、を有することを特徴とする前記アドホック経路取得方法。
【請求項１１】
前記宛先装置までの通信経路を探索するための経路要求メッセージを送信する電力を決定するステップと、
前記電力を決定するステップで決定された電力で前記宛先装置までの通信経路が見つからないとき、経路要求メッセージを送信するための電力を段階的に変更するステップと、を更に有し、
前記電力を決定するステップは、即時に通信データの送信が要求されているときには通常送信電力に決定し、即時に通信データの送信が要求されていないときには前記通常送信電力より低い送信電力に決定する、ことを特徴とする請求項１０に記載のアドホック経路情報取得方法。
【請求項１２】
前記受信環境の変化とは、前記広域無線通信インタフェースを介して接続される基地局の変更であることを特徴とする請求項１０に記載のアドホック経路情報取得方法。
【請求項１３】
前記受信環境を監視するステップは、前記経路探索部を起動させるためのトリガ要件を設定し、前記広域無線通信インタフェースから前記受信環境を監視するための情報を収集し、
前記通信経路を更新するステップは、前記トリガ要件を満たすとき、前記経路探索部を起動して前記宛先装置までの最新の通信経路に更新する、ことを特徴とする請求項１０に記載のアドホック経路情報取得方法。
【請求項１４】
前記受信環境を監視するための情報は、前記広域無線通信網の基地局からの無線信号の受信電界強度を表すことを特徴とする請求項１３に記載のアドホック経路情報取得方法。
【請求項１５】
前記受信環境を監視するための情報は、前記広域無線通信網の基地局が行う送信電力制御の情報であることを特徴とする請求項１３に記載のアドホック経路情報取得方法。
【請求項１６】
少なくとも一つのローカルなエリア内でアドホックネットワークを構築し、宛先装置と通信するローカル無線通信インタフェースと、前記アドホックネットワークでの前記宛先装置までの通信経路を探索する経路探索部と、前記ローカル無線通信インタフェースとは別に、近距離無線通信を行う近距離無線通信インタフェースとを有する無線通信装置のアドホック経路取得方法であって、
前記近距離無線通信インタフェースでの受信環境の変化を検出するステップと、
前記受信環境の変化を検出したとき、前記経路探索部を起動して前記アドホックネットワークでの前記宛先装置までの最新の通信経路に更新するステップと、を有することを特徴とする前記アドホック経路取得方法。
【請求項１７】
前記宛先装置までの通信経路を探索するための経路要求メッセージを送信する電力を決定するステップと、
前記電力を決定するステップで決定された電力で前記宛先装置までの通信経路が見つからないとき、経路探索メッセージを送信するための電力を段階的に変更するステップと、を更に有し、
前記電力を決定するステップは、即時に通信データの送信が要求されているときには通常送信電力に決定し、即時に通信データの送信が要求されていないときには前記通常送信電力より低い送信電力に決定する、ことを特徴とする請求項１６に記載のアドホック経路情報取得方法。